(57)【特許請求の範囲】
【請求項１】
（ａ）球流入口と球排出口とを有して、遊技機内に取付けられる球揚送ユニットと、その球揚送ユニットに着脱可能に装着される研磨材カセットとを有し、
（ｂ）前記球揚送ユニットは、前記研磨材カセットを収容する空間を有する箱状のユニット本体と、そのユニット本体内に設けられた球揚送手段とからなり、
（ｃ）前記球揚送手段は、前記ユニット本体内に軸芯を垂直にして回転自在に備えられたスクリューコンベアと、背面側全長に縦長の開口を有する筒状に形成され、前記スクリューコンベアを同心円状に包囲して、前記スクリューコンベアと協働して前記開口に沿って延びる球揚送路を形成するとともに、その球揚送路の下端に連通される前記球流入口と前記球揚送路の上端に連通される前記球排出口とを有する球揚送ガイドと、前記スクリューコンベアを所定方向に回転させる第１駆動手段とからなるものであり、
（ｄ）前記研磨材カセットは、研磨材として球の揚送方向に対して直角方向に回転されるローラ状の研磨ブラシを用いるものであって、前記球揚送ユニットの研磨材カセット収容空間に着脱自在に嵌合され、前記スクリューコンベア側に開口する箱状のカセット本体と、そのカセット本体の中に垂直軸回りに回転自在に保持され、前記カセット本体を前記ユニット本体の研磨材カセット収容空間に嵌合した場合に前記スクリューコンベアにより球揚送路を揚送される球に接触する前記ローラ状の研磨ブラシと、前記研磨ブラシを回転させる第２駆動手段とからなる
ことを特徴とする揚送研磨装置。
【請求項２】
前記第１駆動手段は、球揚送ユニットに取付けられたモータと、そのモータの回転軸に固着された歯車と、スクリューコンベアの軸に固着され、前記モータの歯車に噛合された歯車とから構成され、第２駆動手段は、研磨ブラシの軸に固着され、前記スクリューコンベアの歯車に噛合された歯車で構成されている、ことを特徴とする請求項１に記載の揚送研磨装置。
【請求項３】
上記カセット本体は、球揚送ガイドと反対側の面に研磨ブラシの外周面の一部を縦方向全長に渡って露出させる開口を有するとともに、その開口の外側に樋状のケースを備え、前記カセット本体又は前記ケースの前記開口の両縁のうち、回転する前記研磨ブラシの先端が前記開口の中央側に離間する側の縁に、その回転する研磨ブラシの先端を押圧湾曲させ、かつ、跳ねさせて汚れを前記ケース内に剥離させる接触部を備えたことを特徴とする請求項１に記載の遊技機で用いられる揚送研磨装置。
【請求項４】
上記カセット本体は、球揚送ガイドと反対側の面に研磨ブラシの円周方向の一部を縦方向全長に渡って露出させる開口を有するとともに、その開口の外側に樋状のケースを備え、前記ケース内に前記研磨ブラシの先端に接触して汚れを剥離する固定ブラシを備えたこと、を特徴とする請求項１に記載の揚送研磨装置。
【請求項５】
上記カセット本体は、球揚送ガイドと反対側の面に研磨ブラシの円周方向の一部を縦方向全長に渡って露出させる開口を有するとともに、その開口の外側に樋状のケースを備え、前記ケース内に前記研磨ブラシの前記開口に露出されている研磨ブラシの外周面の一部に接触してその研磨ブラシに付着している汚れを転写する粘着剤付きローラを回転自在に備えたことを特徴とする請求項１に記載の揚送研磨装置。
【請求項６】
前記ケースは、いずれも、上記カセット本体に対して着脱自在に装着されるものであることを特徴とする請求項３−５のいずれか１項に記載の揚送研磨装置。
【発明の詳細な説明】
【技術分野】
【０００１】
本発明は、パチンコ機から排出される遊技球を集めて揚送しながら研磨し、その研磨した遊技球をリサイクル補給用に排出する揚送研磨装置に関する。
【背景技術】
【０００２】
遊技者が遊技球貸し機（以下、球貸し機という。）から遊技球（以下、球という。）を借り受け、その借り受けた球を遊技機の球発射装置により遊技盤に発射して入賞口に的中した場合に賞球を上皿に排出させて獲得できるようにした伝統的な遊技機においては、遊技者が手で球に触れることから手の油成分や汗あるいは球通路構成部材から発生する塵埃などが球に付着して汚れるので、その汚れを除去し、併せて球の光沢を回復するために、遊技盤の非入賞口又は入賞口から落下する球（以下、落下球という。）を遊技機の下側に設けた下部タンクに収集した後、その下部タンクから遊技機の上側に設けた上部タンクまで揚送する間に球を研磨する揚送研磨装置が用いられている。
【０００３】
この伝統的な遊技機は、十数台からなる一群の遊技機で一つの遊技島（以下、単に島という。）を構成し、その島の遊技機から排出される落下球を下部タンクに収集して１台の揚送研磨装置により揚送研磨し、その揚送研磨した球を一つの上部タンクに貯留し、その上部タンクから各遊技機に供給するように構成してある。
【先行技術文献】
【特許文献】
【０００４】
【特許文献１】特開２００９−２６２２５５号公報
【特許文献１】特開２０１０−０３５７３１号公報
【発明の概要】
【発明が解決しようとする課題】
【０００５】
上記従来技術においては、揚送研磨装置で揚送研磨され、その上端部から排出される球を、島を構成する全ての遊技機に共通な一つの上部タンクに貯留し、その上部タンクから球を各遊技機の受け皿と球貸し機に分配し、各遊技機から排出される落下球を一つの下部タンクに収集して、前記揚送研磨装置の下端部に流入させるように構成されている。また、上記従来技術においては、遊技者が一つの島から他の島に球を移動することを阻止できないため、移動元の島において球不足が生じない程度に保有球数を多めに設定している。このため、島全体の球使用数量が非常に多く、従って、揚送研磨装置も大型のものが必要になり、揚送研磨装置の負荷が大きく、各遊技機に対する球供給制御が複雑になり、研磨材の交換に多くの手間とコストがかかるので、メンテナンスも容易でないという問題があった。そのため、島の規模を１台のみまたは数台程度と小さくし、その範囲内にて限られた数の球を上手くリユースするような遊技機が開発されている。
【０００６】
本発明は、上記の点に鑑みてなされたものであり、一の目的は上記小規模の島の遊技機において用いるのに好適な揚送研磨装置を提供することにある。また、他の目的は、揚送研磨装置の研磨材の交換が容易にできるようにすることにある。
【課題を解決するための手段】
【０００７】
本発明は、上記の課題を解決するため、（ａ）揚送研磨装置に、球流入口と球排出口とを有して、遊技機内に取付けられる球揚送ユニットと、その球揚送ユニットに着脱可能に装着される研磨材カセットとを備え、（ｂ）前記球揚送ユニットは、前記研磨材カセットを収容する空間を有する箱状のユニット本体と、そのユニット本体内に設けられた球揚送手段とからなり、（ｃ）前記球揚送手段は、前記ユニット本体内に軸芯を垂直にして回転自在に備えられたスクリューコンベアと、背面側全長に縦長の開口を有する筒状に形成され、前記スクリューコンベアを同心円状に包囲して、前記スクリューコンベアと協働して前記開口に沿って延びる球揚送路を形成するとともに、その球揚送路の下端に連通される前記球流入口と前記球揚送路の上端に連通される前記球排出口とを有する球揚送ガイドと、前記スクリューコンベアを所定方向に回転させる第１駆動手段とからなるものであり、（ｄ）前記研磨材カセットは、研磨材として球の揚送方向に対して直角方向に回転されるローラ状の研磨ブラシを用いるものであって、前記球揚送ユニットの研磨材カセット収容空間に着脱自在に嵌合され、前記スクリューコンベア側に開口する箱状のカセット本体と、そのカセット本体の中に垂直軸回りに回転自在に保持され、前記カセット本体を前記ユニット本体の研磨材カセット収容空間に嵌合した場合に前記球揚送路を揚送される球に接触する前記ローラ状の研磨ブラシと、前記研磨ブラシを回転させる第２駆動手段とからなることを特徴としている（請求項１）。
【０００８】
前記第１駆動手段は、球揚送ユニットに取付けられたモータと、そのモータの回転軸に固着された歯車と、スクリューコンベアの軸に固着され、前記モータの歯車に噛合された歯車とから構成され、第２駆動手段は、研磨ブラシの軸に固着され、前記スクリューコンベアの歯車に噛合された歯車で構成されていることが望ましい（請求項２）。
【０００９】
本発明の好ましい実施の形態においては、上記カセット本体は、球揚送ガイドと反対側の面に研磨ブラシの外周面の一部を縦方向全長に渡って露出させる開口を有するとともに、その開口の外側に樋状のケースを備え、前記カセット本体又は前記ケースの前記開口の両縁のうち、回転する前記研磨ブラシの先端が前記開口の中央側に離間する側の縁に、その回転する研磨ブラシの先端を押圧湾曲させ、かつ、跳ねさせて汚れを前記ケース内に剥離させる接触部を備えたことを特徴としている（請求項３）。
【００１０】
本発明の他の好ましい実施の形態においては、上記カセット本体は、球揚送ガイドと反対側の面に研磨ブラシの円周方向の一部を縦方向全長に渡って露出させる開口を有するとともに、その開口の外側に樋状のケースを備え、前記ケース内に前記研磨ブラシの先端に接触して汚れを剥離する固定ブラシを備えたことを特徴としている（請求項４）。
【００１１】
本発明のさらに他の好ましい実施の形態においては、上記カセット本体は、球揚送ガイドと反対側の面に研磨ブラシの円周方向の一部を縦方向全長に渡って露出させる開口を有するとともに、その開口の外側に樋状のケースを備え、前記ケース内に前記研磨ブラシの前記開口に露出されている研磨ブラシの外周面の一部に接触してその研磨ブラシに付着している汚れを転写する粘着剤付きローラを回転自在に備えたことを特徴としている（請求項５）。
【００１２】
前記ケースは、いずれも、上記カセット本体に対して着脱自在に装着されるものであることが望ましい（請求項６）。
【発明の効果】
【００１３】
請求項１の発明によれば、１台又は隣接や背中合せなどで設置される数台の遊技機により小規模な島を構成した際に、揚送研磨装置を、球流入口と球排出口とを有して遊技機内に取付けられる球揚送ユニットと、その球揚送ユニットに着脱可能に装着される研磨材カセットとから構成し、球揚送ユニットは研磨材カセットを収容する空間を有する箱状のユニット本体と、そのユニット本体内に設けられた球揚送手段とからなるので、研磨材カセットの交換が容易にできる。また、球揚送手段は、ユニット本体内に軸芯を垂直にして回転自在に備えられたスクリューコンベアと、背面側全長に縦長の開口を有する筒状に形成され、前記スクリューコンベアを同心円状に包囲して、前記スクリューコンベアと協働して前記開口に沿って延びる球揚送路を形成するとともに、その球揚送路の下端に連通される前記球流入口と前記球揚送路の上端に連通される前記球排出口とを有する球揚送ガイドと、前記スクリューコンベアを所定方向に回転させる第１駆動手段とからなるものであるので、構成が比較的簡単な小型の揚送研磨装置を提供することができる。
【００１４】
従来からある遊技機は遊技者が直接球に触れること（開放型）が前提となっているが、１台又は数台からなる小規模な遊技機島を想定した場合には、球貸し機から上皿など球貯留部への貸し球の供給から、球発射装置による球の発射、落下球の下部タンクへの収容、揚送研磨装置における揚送研磨、上部タンクから遊技機の受け皿及び球貸し機への供給までの球通路が閉じられて、遊技者が球に触れられないように構成されるもの（非開放型）も考案されている。上記球研磨装置は開放型と非開放型のいずれにも設置が可能である。
【００１５】
また、請求項１の発明によれば、研磨材カセットは、研磨材として球の揚送方向に対して直角方向に回転されるローラ状の研磨ブラシを用いるものであり、球揚送ユニットの研磨材カセット収容空間に着脱自在に嵌合され、スクリューコンベア側に開口する箱状のカセット本体と、そのカセット本体の中に垂直軸線回りに回転自在に保持され、カセット本体をユニット本体の研磨材カセット収容空間に嵌合した場合に前記球揚送路を揚送される球に接触する前記ローラ状の研磨ブラシと、前記研磨ブラシを回転させる第２駆動手段とからなるので、構造が簡単な研磨材の使用が可能であり、かつ、研磨材の交換が容易にできる。
【００１６】
請求項２の発明によれば、スクリューコンベアと研磨ブラシの回転駆動系統の構造を簡単にすることができる。また、研磨ブラシがスクリューコンベアの回転方向と反対方向に回転されるので、高い球研磨性能が得られる。
【００１７】
請求項３の発明によれば、カセット本体は研磨ブラシの一部を露出させる開口を有し、その開口の外側に樋状のケースを備え、カセット本体又はケースの前記開口の両縁のうち、回転する研磨ブラシの先端が前記開口の中央側に離間する側の縁に、その研磨ブラシの先端から汚れを前記ケース内に掻き取る接触部を備えたので、研磨ブラシの先端から汚れが常時排除されるため、研磨ブラシの研磨性能が伸長される。
【００１８】
請求項４の発明によれば、カセット本体は研磨ブラシの一部を露出させる開口を有し、その開口の外側に樋状のケースを備え、そのケース内に研磨ブラシの先端に接触して汚れを剥離する固定ブラシを備えたので、接触部よりも広い面積で研磨ブラシから汚れを除去することができ、同接触部よりも大きい剥離効果が得られる。
【００１９】
請求項５の発明によれば、カセット本体は研磨ブラシの円周方向の一部を露出させる開口を有し、その開口の外側に樋状のケースを備え、そのケース内に研磨ブラシの前記開口に露出されている研磨ブラシの円周面の一部に接触してその研磨ブラシに付着している汚れを転写する粘着剤付きローラを回転自在に備えたので、前記接触部又は前記固定ブラシで汚れを掻き取る場合のような汚れの飛散又は騒音発生が生じない利点がある。
【００２０】
請求項６の発明によれば、ケースがカセット本体に対して着脱自在に装着されるので、接触部、固定ブラシ又は粘着剤付きローラを容易に交換することができる。
【図面の簡単な説明】
【００２１】
【図１】本発明の実施の形態に係る遊技機の正面図である。
【図２】図１の遊技機の揚送研磨装置を抽出して示す正面図である。
【図３Ａ】図２の揚送研磨機のみの正面図である。
【図３Ｂ】図２の揚送研磨機の正面側の斜視図である。
【図３Ｃ】図３Ｂの揚送研磨機の背面側の斜視図である。
【図３Ｄ】図３Ｂの揚送研磨機の球揚送ユニットから研磨材カセットを引き出した状態の斜視図である。
【図３Ｅ】図３Ｄの同じく揚送研磨機の背面図である。
【図３Ｆ】図３Ｅの球揚送ユニットの球揚送通路における球の揚送中の動作を説明する拡大図である。
【図４Ａ】図３Ｃの研磨材カセットにケースを装着した例を示す斜視図である。
【図４Ｂ】図４Ａの研磨材カセットのケースを開けた状態を示す斜視図である。
【図４Ｃ】図４Ｂのケースを取り外した状態を示す斜視図である。
【図４Ｄ】図４Ａの揚送通路の水平断面図及び部分拡大図である。
【図５Ａ】図４Ｂのケースに固定ブラシを取付けた例を示す斜視図である。
【図５Ｂ】図５Ａのケースを取り外した状態を示す斜視図である。
【図５Ｃ】図５Ａのケース揚送通路の水平断面図及び部分拡大図である。
【図６Ａ】図４Ｂのケースに粘着剤付きローラを取付けた例を示す斜視図である。
【図６Ｂ】図６Ａのケースを取り外した状態を示す斜視図である。
【図６Ｃ】図６Ａの揚送通路の水平断面図及び部分拡大図である。
【図７】本発明の実施の形態に係る遊技機の制御系統図である。
【図８】図７の遊技機の演算制御部の作用を説明するフローチャートである。
【図９】本発明の実施の形態に係る遊技機の一例の正面図である。
【図１０】図７の遊技機の背面図である。
【図１１】図１０の揚送研磨機の正面側の斜視図である。
【図１２】図１１の球揚送ユニットの背面側の斜視図である。
【図１３】本発明の実施の形態に係る遊技機の制御系統図である。
【図１４】図１３の遊技機の演算制御部の作用を説明するフローチャートである。
【発明を実施するための形態】
【００２２】
１．０  ［実施の形態に係る遊技機］
本発明の実施の形態について図面を参照しながら説明する。なお、小規模な遊技島は１台のみまたは複数台が隣接又は背中合せなど様々なケースが考えられるが、ここでは２台の遊技機が横並びに設置されている例について説明する。
図１に示す遊技装置Ａは、隣接する２台の遊技機１Ａ,１Ｂから構成されている場合の例である。なお、小規模島を形成する２台の遊技機１Ａ,１Ｂは、構成が同じであり、遊技機からの落下球の収集機能、揚送研磨機能及び遊技機への球供給機能がこの２台の遊技機において完結している。
【００２３】
１．１  ［遊技機］
遊技機1Ａ,１Ｂは、例えば、パチンコ機であり、従来と同様に、一側において本体に開閉可能に軸支されたガラス扉２と前面板３とを有し、ガラス扉２の背面側に遊技盤４が設けられている。前面板３には、既知の発射装置（図示省略）への球発射指令入力と球発射速度調節を行なう操作ハンドル６設けられている。
【００２４】
図１において、１６は上皿、１７は下皿、１８はロート、１９は受け皿である。２０は、遊技盤１１に設けられた残存球数と賞球獲得数を表示するための表示部である。上皿１６と下皿１７は、その中に収容されている球を外側から透視できる。
【００２５】
１．２  ［球貸し機］
遊技機１Ａ,１Ｂの左側に結合されている球貸し機８は、表示ランプ８ａ、紙幣投入口８ｂ、硬貨投入口８ｃ、硬貨返却口８ｄ、中にカードリーダライタが設けられている遊技カード挿入口８e、球貸し要求スイッチ８ｆ、ゲーム終了スイッチ８ｈのほか、球貸し機８の中に上端部に開口する球貯留部と、その球貯留部から貸し球を上皿１６に供給する第１の供給管１５が設けられている。球貯留部の底部には貸し球供給指令信号により球貯留部から所定数の貸し球を貸し球供給管１５に放出する貸し球供給手段（図７の８ｉ)が設けられている。貸し球供給手段８ｉは、例えば、電動シャッターとカウンタと制御回路の組合せなどで構成することができる。
【００２６】
操作ハンドル６の操作により発射装置により遊技盤面４に向けて発射され、非入賞口ｈ１に入った外れ球はロート１８に落下する。また、遊技盤面４に向けて発射され、入賞口ｈ２に入った賞球もロート１８に落下する。入賞口ｈ２の中には、入賞検知センサ（図７のＳ１参照）が設けてあり、入賞を検知したときは、その入賞検知信号が遊技機１Ａ,１Ｂの後述される演算制御部300に入力されるようになっている。
【００２７】
受け皿１９から球を上皿１６に供給するための第２の供給管（図示せず）が設けられ、受け皿１９の底部には、演算制御部300が前記入賞検知信号の入力に基づいて出力する賞球放出指令信号を入力するたびに受け皿１９から第２の供給管に所定数の賞球を放出する、例えば、電動シャッターとカウンタと制御回路の組合せなどからなる賞球供給手段（図７の１９ａ）が設けられている。
【００２８】
上皿１６には、その底部に形成されている孔を開閉する手動シャッター（図示せず）が設けられており、上皿１６が満杯に近づいたことを遊技者が見たときは、その手動シャッターを開けて、上皿１６の球を下皿１７に落下させることができる。また、下皿１７には、その底部に形成されている孔を開閉する手動シャッター（図示せず）が設けられており、下皿１７が満杯に近づいたことを遊技者が見た時は、その手動シャッターを開けて、下皿１７の球をロート１８に落下させることができる。そして、下皿１７の孔の下側にロート１８に落下する球を計数するカウンタＳ２が設けてあり、そのカウント値は演算制御部300に賞球獲得数として入力されるようになっている。
【００２９】
以上は、各遊技機に固有の構成である。次に、小規模島を構成する２台の遊技機１Ａ,１Ｂに共通の構成要素として、図１に示すように、一つの下部タンク３１と、一つの上部タンク３２と、一つの揚送研磨装置ＢＥとがある。
【００３０】
下部タンク３１は、遊技機１Ａ,１Ｂの下側に設けられている。この場合、遊技機１Ａ,１Ｂのいずれか一方の下側又は双方の下側のいずれでもよい。そして、各遊技機のロート１８から落下する球を収容する。また、上部タンク３２は、小規模島の上側に、すなわち、遊技機１Ａ,１Ｂの頂部中央に設けられ、その上部タンク３２から球を各遊技機１Ａ,１Ｂのそれぞれの受け皿１９及び球貸し機８の球貯留部に流下させる球通路３３，３４が設けられている。
【００３１】
１．３  ［揚送研磨装置］
揚送研磨装置ＢＥは、図1、２に示すように、下部タンク３１から導入管３５を介して流入する球を揚送研磨する揚送研磨機Ｂと、その揚送研磨機Ｂから排出される研磨済みの球を上部タンク３２まで揚送する揚送手段Ｅとからなっている。
【００３２】
揚送手段Ｅは、図２に示すように、前記導出管３６と、その導出管３６の中に設けられたコイルバネなどのスクリューコンベア３７と、そのスクリューコンベア３７を所定方向に回転駆動するモータ３８とからなっている。
【００３３】
導出管３６は、遊技機１Ｂの上方まで伸び、揚送研磨機Ｂの球排出口114から排出される揚送研磨後の球を回転されるスクリューコンベア３７により導出管３６の上端部まで揚送し、上部タンク３２内に放出するように構成されている。
【００３４】
上記揚送研磨装置ＢＥは、上部タンク３２内に設けられた空検知器(図示せず)が空状態又はニア空状態を検知して出力した時にモータ３８の回転を始動して、下部タンク内の球を揚送研磨し、上部タンク３２内に設けられた満杯検知器(図示せず)が満杯又はニア満杯を検知して出力した時にモータ３８の回転を停止するようになっている。
【００３５】
１．４  ［揚送研磨機］
小規模島の遊技装置Ａにおいては、前面板３の内側の遊技盤４よりも下側付近に揚送研磨機Ｂが設置されている。揚送研磨機Ｂは、図３Ｃ及び図３Ｄに示すように、球揚送ユニット100と研磨材カセット200とから成っている。
【００３６】
１．４．１  [球揚送ユニット]
球揚送ユニット100は、図３Ｅに示すように、背面側のみに開口する箱状に形成されたユニット本体101の中に、ほぼ中央において揚送部が設けられ、その揚送部の背面側に、後述される研磨材カセット200を嵌合することができる研磨材カセット収容空間101Rが設けられている。前記揚送部は、背面側に垂直方向に連続する、球Ｃの直径よりもわずかに大きな幅の開口を有する水平断面形状がコ字形又は円弧状の縦長の揚送ガイド102と、ユニット本体101の内面に固着された上下の支持部材103（図３Ｅ参照）により揚送ガイド102の中心に回転軸104ａを合致させて回転可能に取付けられたスクリューコンベア(以下、単にコンベアという。)104と、そのコンベアを回転駆動するためのモータ105と、コンベア104の回転を検知することにより揚送研磨機Ｂから排出される球を計数するための回転検知センサ106とからなっている。揚送ガイド102は、開口を背面に向けて取付けられている
。
【００３７】
コンベア104は、その外周面が揚送ガイド102の内面に近接する外径を有し、コンベア104の回転軸104ａの外周面と揚送ガイド102の内面との間は球Ｃの直径よりも僅かに大きく離間され、スクリューのピッチは球の径より僅かに大きく設定されている。
【００３８】
揚送ガイド102の下側部分には、図３Ｅに示すように、下側の球通路形成部材が取り付けられている。球通路形成部材の一例を説明すると、横断面形状が遊技球Ｃの半径よりも大きい曲率半径を有する円弧状の下側カバー108が固着されて、その下側カバー108はコンベア104の下部の揚送ガイド102によって遮蔽されていない外周面を遮蔽している。そして、コンベア104と下側カバー108との間に上下方向に連続する球揚送路p1（図示省略）が形成されている。下側カバー108の下端部の図３Ｅにおいては左側の側面に、湾曲された球導入路110の一端が接続され、球導入路110は球揚送路p１の下端部に連通されている。また、球導入路110の他端は、球揚送ユニット100のユニット本体101の正面下部に形成されている球流入口111（図３Ａ参照）に接続されている。
【００３９】
揚送ガイド102の開口面の上側部分にも、図３Ｅに示すように、球通路形成部材として下側カバー108と同様な上側カバー112が固着されて、その上側カバー112はコンベア104の上部の揚送ガイド102によって遮蔽されていない外周面を遮蔽している。そして、コンベア104と上側カバー112との間に球揚送路p1と同様の球揚送路p3(図示省略)が形成されている。上側カバー112の上端部の図３Ｅにおいては右側の側面に、湾曲された球導出路113の一端が接続され、その球導出路113の他端は、球揚送ユニット100のユニット本体101の正面上側に形成されている球排出口114（図３Ａ参照）に接続されている。球導出路113は球揚送路p3の上端から球排出口114まで、遊技球が転動しやすいように、僅かに下り傾斜されている。
【００４０】
揚送ガイド102の開口の、下側カバー108と上側カバー112の間に残された部分、すなわち、開口により、上下の球揚送路p1,p3に連通する中間の球揚送路p2（図示省略）が形成されている。
【００４１】
図３Ｃ、３Ｄ及び３Ｅに示すように、コンベア104の回転軸104ａの下端部には上下２段のギア115a,115bが固着され、下側のギア115aとモータ105の回転軸に固着されたギア116とが噛み合わされている。これらのモータ105と、ギア115a、116とで、揚送部を駆動する第１駆動手段が構成されている。
【００４２】
第１駆動手段105,115a,116によりコンベア104が所定方向、図３Ｅにおいては上から見て反時計方向に回転されると、球流入口111から入る球は、揚送部の球揚送路p1, p2，p3を揚送されるが、好ましい実施の態様においては、図３Ｆに示すように、揚送ガイド102の球揚送路 p2の開口の左右両側の辺が規則的に蛇行するように形成され、かつ、左右の蛇行辺が１ピッチ分上下方向にずらされている。従って、球揚送路p2を揚送される球Ｃが蛇行しながら揚送されるようになっている。これにより、球Ｃの球面全体が満遍なく研磨される効果が得られる。
【００４３】
回転検知センサ106は、一例として、ユニット本体101に取付けられた既知の光電センサ106aと、コンベア104の回転軸104ａの上方延長部に固着されたエンコーダ106bとで構成されている。この回転検知センサ106は、コンベア104の回転角度に基づいて球排出口114から排出される球を計数するために用いられる。球を計数するためのセンサは、他の構成のものでよいし、別の位置に設けても良い。
【００４４】
そして、上記球揚送ユニット100は、ユニット本体101の開放面を図３Ｄに示すように遊技機１の背後方向に向けた状態で遊技機１内に収容され、ユニット本体101に一体に設けた取付片101a〜101eにおいてねじ止め等の固着手段により着脱可能に取付けられる。従って、本発明に係る揚送研磨機Ｂは、遊技機Ａに対して容易に取付けることができる。
【００４５】
１．４．２  [研磨材カセット]
一方、研磨材カセット200は、図３Ｃ，３Ｄに示すように、カセット本体210と、そのカセット本体210に垂直軸を中心に回転自在に保持された研磨ブラシ220とから構成されている。カセット本体210は、球揚送ユニット100の揚送部に対して着脱可能に形成されている。その着脱機構の一例を説明すると、図３Ｃに示すように、カセット本体の一側面の上下に上下対向して突出するピン211を設けるとともに、カセット本体の他側面に弾性を有する被係止片212を設けてある。そして、球揚送ユニット100の球揚送路p2の左右両側、例えば揚送ガイド102又はその付近に形成したホルダ102eに前記ピン211を受け入れる開口及び被係止片212を係止する係止片を設けて、図３Ｃ及び３Ｄに示すように、球揚送ユニット100の揚送部にカセット本体210を接近させ、着脱機構により固定することができる。
【００４６】
研磨ブラシ220は、ローラ状（又は縦長の筒状。本明細書において同じ。)に形成してあり、その中心に上下方向に突出する軸221を有しており、カセット本体210の上下の軸受213,214の間に研磨ブラシ220を収容し、研磨ブラシ220の上下端部の軸221を軸受213,214により回転自在に支持してある。研磨ブラシ220は、少なくとも外周面の一部が全長に渡ってカセット本体210の、球揚送ユニット100の揚送部側の面から突出されている。また、研磨ブラシ220の長さは、球揚送ユニット100の揚送部の球揚送路p2の長さと等しく設計されている。
【００４７】
従って、カセット本体210を球揚送ユニット100の揚送部に装着して固定した時は、その研磨ブラシ220の外周面の一部が球揚送路p2に臨み、揚送部により揚送される球に接触することができる。
【００４８】
研磨ブラシ220の外周面が揚送部により揚送される球に対する研磨作用（汚れ除去及び光沢回復）の効果を高めるため、研磨ブラシをコンベア104の回転方向と逆方向に回転させる第２の駆動手段が設けられている。その一例を説明すると、図３Ｂ,３Ｃ,３Ｄに示すように、研磨ブラシ220の軸221の下端部にギヤ115cを設けるとともに、カセット本体210を球揚送ユニット100に固定したときにギヤ115cがコンベア104の上段のギヤ115bと噛み合うにしてある。
【００４９】
第２の駆動手段は、第１の駆動手段の回転力を分与する構造でなく、別のモータを用いるものとしても良い。
【００５０】
こうして、上記揚送研磨機Ｂを遊技機１の中に設置すると、図１０に示すように、球流入口111が遊技機１の非入賞口ｈ１及び入賞口ｈ２に連なるアウト球通路１１及び賞球通路１２に結合されている合流路１３の終端に設けられた受け皿１４に連結され、補給通路１０が遊技機１の発射装置に連結される。
【００５１】
１．４．３  ［研磨ブラシの清掃機構］
研磨材として上記のように研磨ブラシを用いる場合は、球に付着していた汚れがその研磨ブラシに掻き取られる。掻き取られた汚れがブラシに蓄積するままにする場合は、研磨ブラシの洗浄又は交換が必要になる。カセット本体200は、着脱可能であるので、これを取り外して、ブラシの洗浄又は交換を行うことは容易にできる。しかし、球の汚れ程度によっては、ブラシの洗浄又は交換の頻度が高く、メンテナンス性に問題が生じ、研磨ブラシの寿命の低減を招く虞がないとは限らない。
【００５２】
以下に、研磨ブラシの洗浄又は交換の代わりになり得る、研磨ブラシの清掃機構について説明する。
図４Ａないし図４Ｄは、カセット本体200の背面側に片面のみに開口する箱状のケース230を着脱可能に取付けた例である。ケース230のカセット本体200に対する着脱機構には、カセット本体200の球揚送ユニット100に対する上記の着脱機構と同じものを用いることができる。
【００５３】
この実施の態様における研磨ブラシ220は、カセット本体200から球揚送ユニット100の揚送部側とその反対側の双方に外周面の一部が突出されている。そして、ケース230の中にブラケット240が固定されている。ブラケット240には、ケース230の開口の両側辺のうち、回転する研磨ブラシ220の外周面が開口の中央に向かって移動する側の辺、図４Ｄにおいては、開口の右側の辺に、研磨ブラシ220の外周面に押圧して接触する接触部241が全長に亘って備えられている。接触部241がブラシの外周面に押圧して接触するので、回転する研磨ブラシ220の繊維の先端が接触部241に押されて撓んだ直後に、その接触部241から解放されて跳ねるため、繊維に付着している汚れが剥離され,ケース230の内壁面に付着し、堆積される。従って、汚れがケース230内に一定量堆積するまで、そのケースを使用し続けることができる。一定量堆積したときは、そのケースは交換され、洗浄または破棄される。ブラケット240は、これを着脱可能としても良い。こうして、接触部241により研磨ブラシの先端から汚れを掻き落として、研磨ブラシの研磨能力を再生することができる。
【００５４】
図５Ａないし図５Ｃは、カセット本体200の背面側に着脱可能に取付けられる、図４Ａないし図４Ｄにおけるケースと同様のケース230の中に、研磨ブラシ220の外周面の一部に押圧接触する固定ブラシ250を備えた例である。
【００５５】
固定ブラシ250を用いる場合は、固定ブラシ250と研磨ブラシ220の繊維同士が押圧接触するので、研磨ブラシ220からの汚れ剥離効果に優れている。こうして、固定ブラシ250により研磨ブラシ220の先端から汚れを掻き落として、研磨ブラシの研磨能力を再生することができる。また、固定ブラシには安価なものを使用することができ、汚れが堆積した場合は、ケース300と一緒に廃棄できるので、汚れ処理コストの低減が可能である。
【００５６】
図６Ａ及び図６Ｂは、研磨ブラシ220の清掃部材として、粘着剤付きローラ260を用いる例である。すなわち、同様のケース230Eの中に、粘着剤付きローラ260を回転自在に設け、ケース230Eをカセット本体200の背面側に着脱機構を介して固定した時は、図６Ｃに示すように、粘着剤付きローラ260の外周面の一部が研磨ブラシ220の外周面の一部に押圧接触して、その研磨ブラシ220の外周面に付着している汚れを、同期回転している粘着剤付きローラ260に転写させるようにしたものである。こうして、粘着剤付きローラ260により研磨ブラシの先端から汚れを転写して研磨ブラシの研磨能力を再生することができる。また、粘着剤付きローラ260には、粘着剤付きテープを年輪状に積層されたものを使用すると、転写した汚れの堆積により転写能力が低下した場合は、最上面の粘着剤付きテープを除去して、転写能力を再生できるので、好ましい。
【００５７】
１．５  [演算制御部]
遊技装置Ａの演算制御部300には、図７に示すように、球貸し機の紙幣投入口の中に設けられた金種判別器（図示省略)、硬貨投入口の中に設けられた硬貨鑑別器（図示省略)、カードリーダライタR/W又はプリンタ（図示省略)、球貸し要求スイッチ８ｆ、貸し球供給手段８ｉ、ゲーム終了スイッチ８ｈ、入賞検知センサｓ１、賞球供給手段１９ａ、賞球獲得数カウンタｓ２、賞球獲得数を一時記憶する記憶部400及び表示部２０が接続されている。また、演算制御部300は、ゲーム実行条件又はゲーム続行条件の成否を判断する条件成否判定部301と、球貸し要求スイッチ８ｆから球貸し要求信号を入力するたびに、条件成立の場合は貸し球供給手段８ｉに所定数の貸し球を供給させるための貸し球供給指令信号を与える球貸し制御部305と、賞球獲得数積算部306と、賞球獲得数を表示部２０に表示させる表示制御部303と、ゲーム終了スイッチ８ｈからゲーム終了信号を入力した時、賞球獲得数が記憶部400に記憶されている場合は、カードリーダライタ又はプリンタにその賞球獲得数を記録し又は印字させる記録制御部307が設けられている。
【００５８】
１．６  [遊技機の作用]
上記構成による遊技機１Ａ，１Ｂの作用は、図８のフローチャートで示すとおりである。
すなわち、演算制御部300は、遊技カードから読み取ったデータが又は投入された貨幣の金額がゲーム実行条件を満たす場合に、もしくは、演算制御部に記憶されている残存球数がゲーム続行条件を満たすと判定した場合（Ｓ１においてＹの場合）に、球貸し要求信号が入力された時（Ｓ２においてＹの場合）は、球貸し機８の球貯留部の球供給手段に動作指令信号を与えて、所定数の球を球発射装置の発射位置に連なる上皿５に排出させる(Ｓ３)。
【００５９】
その後、直ちに上部タンク３２から所定数の球を球貸し機８の球貯留部に補給する(Ｓ４)。上部タンク３２には、ニアエンプティ検知器とニアフル検知器とが設けてあり、いずれの検知器の検知信号も演算制御部300に与えられるようになっている。そして、Ｓ４に続いてニアエンプティ検知器が検知信号を出力したか否かを調べる（Ｓ５）。ニアエンプティ検知器が出力するたびに、ニアフル検知器が検知信号を出力するまで揚送研磨機Ｂを駆動させて、下部タンク３１内の球を揚送研磨して、上部タンク３２に収容する（Ｓ６）。
【００６０】
上部タンク３２から球を球貸し機に補給した後は、球発射装置により遊技盤に向けて発射された球が入賞した場合、すなわち、入賞検知センサから入賞検知信号が演算制御部300に入力した場合（Ｓ７においてＹの場合）は、受け皿１９に設けてある球供給手段に動作指令信号を与えて所定量の球を上皿１６に供給させる（Ｓ８）。
【００６１】
Ｓ８の後も、ニアエンプティ検知器が検知信号を出力したか否かを調べ（Ｓ９）、検知信号を出力したときは、Ｓ６に移行する。
【００６２】
入賞後、遊技者が下皿１７に設けてあるシャッターを操作して、下皿内の賞球を下部タンク３１に落下させた場合、すなわち、賞球獲得を行った場合（Ｓ１０）は、そのシャッター出口に設けてある獲得数カウンタが賞球獲得数を計数してその計数値を演算制御部300に与えるので、演算制御部300はその計数値を積算し、その積算値を記憶部400に記憶させるとともに、表示部２０に表示させる（Ｓ１１）。
【００６３】
続いて、ゲーム終了スイッチ８ｈからゲーム終了指令信号が入力したか否かを監視し（Ｓ１２）、入力しない場合は、Ｓ７に戻り、ゲームの進行状況を監視する。
【００６４】
ゲーム終了指令信号が入力した場合は、その時点において記憶部に記憶されている賞球獲得数をカードリーダライタR/Wに遊技カードに記録させ、又はプリンタに記録票を発行させ（Ｓ１３）、ゲーム処理を終了する。
【００６５】
また、発射装置により発射された球がＳ７において入賞しないときは、打球検知器により打球がまだ所定値以上あるか否かを監視し（Ｓ１４）、ある場合は、Ｓ７に戻るが、打球が所定値未満になった時（Ｓ１４においてＮの場合）は、記憶されている残存球数が所定値以上か否かを調べ（Ｓ１５）、所定値以上であるときは、球貸し機８から所定量の球を上皿１６に供給させる（Ｓ１６）とともに、残存球数からその所定量を減算して、減算結果を新たな残存球数として記憶部400に記憶させ、かつ、表示部２０に表示させる（Ｓ１７）。Ｓ１７の次は、Ｓ７に戻る。
【００６６】
そして、Ｓ１においてゲーム実行条件が満たされないとき又は条件が満たされていてもＳ２において球貸し要求がされないときに、所定時間がまだ経過していないとき（Ｓ１８においてＮの場合)は、Ｓ１に戻るが、所定時間が経過した場合（Ｓ１８においてＹの場合）は、挿入されていた遊技カード又は貨幣を返却して(Ｓ１９)、ゲーム処理を終了する。
【００６７】
２．０  ［第二の形態の遊技機］
本発明は、次の第二の実施の形態においても実現可能である。
図９に例示するように、この場合の遊技装置Ａは、１台の遊技機１と、その遊技機１の片側に設けられた球貸し機８とからなっている。
【００６８】
２．１  ［遊技機］
遊技機１は、一側において開閉可能に軸支されたガラス扉２と前面板３とを有し、ガラス扉２の背面側に遊技盤４が設けられている。遊技盤４の下端部には非入賞口ｈ１が、その上側の任意の位置には入賞口ｈ２が設けられ、前面板３には、既知の発射装置（図示省略）により発射される前の球の有無を遊技者が透視できるように設けた透視窓５と、発射装置への球発射指令入力と球発射速度調節を行なう操作ハンドル６と、賞球獲得数又は残存球数を表示する表示部７とが設けられている。
【００６９】
２．２  ［球貸し機］
球貸し機８は、表示ランプ８ａ、紙幣投入口８ｂ、硬貨投入口８ｃ、硬貨返却口８ｄ、及びカード挿入口８ｅを有している。カード挿入口８ｅの内側には、挿入されたプリペイドカード等の遊技カードの読取、書き込みを行うカードリーダライタ（図示省略)が設けられている。紙幣投入口８ｂ、硬貨投入口８ｃ、硬貨返却口８ｄを備えずに、カード挿入口８ｅのみを備える場合もある。また、球貸し機８には、遊技者が球貸しを要求するための球貸し要求スイッチ８ｆと、獲得した賞球の中から所定数の球の補給を要求するための球補給要求スイッチ８ｇと、ゲーム終了を指示するためのゲーム終了スイッチ８ｈとが設けられている。
【００７０】
２．３  ［揚送研磨機］
図１０、１１に示すように、この遊技装置Ａにおいて用いる揚送研磨機Ｂは、図２の揚送研磨装置ＢＥから揚送手段Ｅを取り除き、図３Ｂの球流入口111に結合されている導入管３５に代えて受け皿１４を連結し、図３Ｂの球排出口114に結合されている導出管３６に代えて補給通路１０を結合したものである。
【００７１】
そして、図１０に示すように、遊技機1の遊技盤４の非入賞口ｈ１及び入賞口ｈ２から連なるアウト球通路１１及び賞球通路１２に連結されている合流通路１３の終端は受け皿１４に開口され、揚送研磨機Ｂを遊技機1の中に設置して、球流入口111が受け皿１４に連結される。また、球排出口114に一端が結合されている補給通路１０の他端が遊技機1の発射装置（図示省略）に連結される。
【００７２】
２．４  [演算制御部]
遊技機1の中には、揚送研磨機Ｂを制御するためのＣＰＵで構成された演算制御部300が設けられている。図１３の制御系統図に示すように、演算制御部300には、球貸し機８のカードリーダライタR/W、球貸し要求スイッチ８ｆ、球補給要求スイッチ８ｇ、ゲーム終了スイッチ８ｈ、遊技盤４の入賞口ｈ２の中に設けられた入賞検知スイッチs及び揚送研磨装置Ｂの回転検知センサ106が接続されて、これらから遊技カードに記録されているデータ、球貸し要求信号、球補給要求信号、ゲーム終了信号、入賞検知信号、球計数信号がそれぞれ入力されるようになっている。また、演算制御部300には、ゲーム実行条件又はゲーム続行条件が満たされているか否かを判断する条件正否判定手段301と、残存球数算出手段302と、残存球数表示制御手段303と、精算手段304とが含まれている。さらに、演算制御部300には、システムプログラム、ワーキングデータなどを記憶するための記憶部400と、モータドライバ105d揚送を介して研磨装置Ｂの第１駆動手段のモータ105とが接続されている。第２駆動手段のモータ107も接続されているが、図１３では省略されている。
【００７３】
演算制御部300は、カード挿入口８ｂに挿入された遊技カードから読み取ったデータが、又は投入された貨幣の金額がゲーム実行条件を満たす場合に、もしくは、演算制御部300の記憶部400に記憶されている残存球数がゲーム続行条件を満たすと判定した場合に、球貸し要求信号が入力された時は揚送研磨機Ｂのモータ105に駆動制御信号を出力し、回転検知センサ106からの球計数信号により所定数の球を揚送研磨して球排出口から上皿５に放出させる。
【００７４】
上皿５に放出され、発射装置により発射された球が非入賞口ｈ１に入った場合は、その球は受け皿１４に収容される。
【００７５】
また、演算制御部300は、遊技中に入賞検知信号が入力された時は、所定数の球数を賞球獲得数として記憶部に記憶させ、その賞球獲得数を表示部７に表示させる。入賞検知信号が入力されるたびに、所定数の球数を先の賞球獲得数に加算して、新たな賞球獲得数を表示部７に表示させる。
【００７６】
また、上皿５の発射されるべき球の数が少なくなり、見えなくなったとき、遊技者が球貸し要求スイッチ８ｆを操作した時は、記憶部に賞球獲得数が記憶されている場合、すなわち、表示部７に表示されている場合は、揚送研磨機Ｂのモータ105を駆動させ、所定数の球を揚送研磨して上皿５に放出させる。これとともに、記憶部に記憶されている賞球獲得数から前記所定数を減算して、その結果である残存球数を表示部７に表示させる。
【００７７】
さらに、球貸し要求スイッチ８ｆを操作した時に、表示部７に賞球獲得数が表示されていない場合は、挿入されている遊技カード又は投入された貨幣がゲーム続行条件を満たすときに、揚送研磨機Ｂのモータ105を駆動させ、所定数の球を揚送研磨して球排出口から上皿５に放出させる。
【００７８】
そして、ゲーム終了信号を入力したときは、そのゲーム終了時において記憶部に残存球数が記憶されている場合は、その残存球数データをカードリーダライタに与え、遊技カードに書き換える。遊技カードが挿入されていない場合は、プリンタにより残存球数を印字した残存球数記録票を発行させる。
【００７９】
以上のように、揚送研磨装置Ｂで必要とされる球は、受け皿１４に収容される球と、上皿５に収容される球と、揚送部内に存在する球のみであるので、使用球数は１００個ないし２００個程度で良い。使用球数の大幅な削減が可能である。
【００８０】
２．５  ［遊技機の作用］
続いて、上記構成による演算制御部による遊技機の作用を図１４を参照しながら説明する。
演算制御部300は、遊技カードから読み取ったデータが又は投入された貨幣の金額がゲーム実行条件を満たす場合に、もしくは、演算制御部に記憶されている残存球数がゲーム続行条件を満たすと判定した場合（Ｓ２１においてＹの場合）に、球貸し要求信号が入力された時（Ｓ２２においてＹの場合）は、揚送研磨機Ｂの第１駆動手段のモータ105及び第２駆動手段のモータ107に駆動制御信号を出力し、回転検知センサ106からの球計数号により所定数の球を揚送研磨して球排出口から上皿５に放出させる(Ｓ２３)。
【００８１】
また、遊技中に入賞検知信号が入力された時（Ｓ２４においてＹの場合）は、揚送研磨装置Ｂの第１駆動手段のモータ105及び第２駆動手段のモータ107に駆動制御信号を出力し、回転検知センサ106からの球計数信号により所定数の球を揚送研磨して球排出口から上皿５に放出させる(Ｓ２５)。この場合に放出される所定数の球数は、賞球獲得数として一時記憶部に記憶されるとともに、表示部７に表示される(Ｓ２６)。入賞検知信号が入力されるたびに、揚送研磨機Ｂは所定数の球を揚送研磨して球排出口から上皿５に放出させ、かつ、その放出した球の数を先の賞球獲得数に加算して、新たな残存球数を表示部７に表示させる(Ｓ２７,Ｓ２８でＮ、Ｓ２４でＹ、Ｓ２５,Ｓ２６)。
【００８２】
１回の球貸し要求により上皿に放出され、発射された球が入賞口ｈ２に的中しなかったとき（Ｓ２４においてＮの場合）は、Ｓ２１に戻る。
【００８３】
窓５から見える上皿の発射されるべき球の数が少なくなったときに遊技者が球補給要求したとき（Ｓ２８においてＹの場合）に、記憶部400に賞球獲得数が記憶されている場合は、揚送研磨機Ｂは所定数の球を揚送研磨して球排出口から上皿５などの球発射装置に連なる球供給側貯留部に放出させ(Ｓ２９)、かつ、その放出した球の数を先の賞球獲得数から減算して、その結果である新たな残存球数で先の賞球獲得数を置換するとともに、新たな残存球数を記憶部２１に格納し、かつ、表示部７に表示させる(Ｓ２１０)。
【００８４】
そして、その後、Ｓ２１１においてゲーム終了信号を入力しないときは、Ｓ２４に戻る。Ｓ２７及びＳ２１１においてゲーム終了信号を入力した時は、カードリーダライタR/Wにより、挿入されている遊技カードにその時点で記憶部400に記憶されている賞球獲得数(残存球数)を記録させて、その遊技カードを返却する。カードリーダライタを備えていない遊技機の場合は、球貸し機８に備えてあるプリンタ（図示せず)に残存球数を印字した記録票を発行させる(Ｓ２１４)。
【００８５】
Ｓ２１においてゲーム実行条件が満たされないとき、又は条件が満たされていてもＳ２２において球貸し要求がされないときに、所定時間が経過した場合（Ｓ２１２においてＹの場合)は、挿入されていた遊技カード又は貨幣を返却して(Ｓ２１３)、ゲーム処理を終了する。
【００８６】
ゲーム終了スイッチ８ｈは、必ずしも必要ではない。
【００８７】
球発射装置に発射前の打球の数が所定値以下になったことを検知する打球検知器（図示せず）を設け、その打球検知器の出力する検知信号を演算制御部300が入力したときは、残存する賞球獲得数（残存球数）が所定値以上である場合には、あるいは、遊技カードの残額が所定値以上である場合は、揚送研磨装置を起動して所定数の球を上皿などに自動的に補給するように構成することもできる。この場合は、球発射装置の打球が少なくなる、あるいは無くなるたびに、遊技者が球補給要求スイッチ８ｆを操作しなくとも、自動的に球の補給を受けることができる。
【符号の説明】
【００８８】
Ａ      遊技装置
１,１Ａ,１Ｂ      遊技機
４      遊技盤
ｈ１    非入賞口
ｈ２    入賞口
５      透明窓
６      操作ハンドル
７      表示部
８      球貸し機
ＢＥ    揚送研磨装置
Ｂ      揚送研磨機
Ｅ      揚送手段
100     球揚送ユニット
104    スクリューコンベア
105     モータ
111    球流入口
114    球排出口
200     研磨材カセット
210     カセット本体
220     研磨ブラシ
230    ケース
240     ブラケット
241     接触部
250    固定ブラシ
260    粘着剤付きローラ
【図１】
0005797474.tif 000002
【図２】
0005797474.tif 000003
【図３Ａ】
0005797474.tif 000004
【図３Ｂ】
0005797474.tif 000005
【図３Ｃ】
0005797474.tif 000006
【図３Ｄ】
0005797474.tif 000007
【図３Ｅ】
0005797474.tif 000008
【図３Ｆ】
0005797474.tif 000009
【図４Ａ】
0005797474.tif 000010
【図４Ｂ】
0005797474.tif 000011
【図４Ｃ】
0005797474.tif 000012
【図４Ｄ】
0005797474.tif 000013
【図５Ａ】
0005797474.tif 000014
【図５Ｂ】
0005797474.tif 000015
【図５Ｃ】
0005797474.tif 000016
【図６Ａ】
0005797474.tif 000017
【図６Ｂ】
0005797474.tif 000018
【図６Ｃ】
0005797474.tif 000019
【図７】
0005797474.tif 000020
【図８】
0005797474.tif 000021
【図９】
0005797474.tif 000022
【図１０】
0005797474.tif 000023
【図１１】
0005797474.tif 000024
【図１２】
0005797474.tif 000025
【図１３】
0005797474.tif 000026
【図１４】
0005797474.tif 000027